(57)【要約】      （修正有）【課題】背もたれの表裏を露出しながら、椅子としての美観を損なうことなく、椅子本体に容易に着脱できる背もたれ取り付け構造を備えた椅子を提供する。【解決手段】椅子の背もたれ部取り付け構造は、椅子本体に形成した背もたれ装着部に背もたれ部が着脱可能に取付固定され、背もたれ部７は背面板７ｂの表面側にクッション体８が設けられ、背面板の外周縁が背もたれ装着部３のフレーム枠３ａの内周縁に形成した段部に落とし込み状に嵌合して装着され、背もたれ部の背面板に爪部１０ａを形成した可動ロック体１０が取り付けられるとともに、フレーム枠３ａの内周縁に固定ロック体１１が取り付けられ、背もたれ部がフレーム枠の内周縁に嵌合した状態で、可動ロック体の爪部が固定ロック体１１に係合し、背もたれ部のクッション体表面方向への移動を阻止する。【選択図】図３
0003204019.tif 000002
【実用新案登録請求の範囲】
【請求項１】
椅子本体に形成した背もたれ装着部に背もたれ部を着脱可能に取付固定した椅子であって、
前記背もたれ部は背面板の表面側にクッション体が設けられ、前記背面板の外周縁が前記背もたれ装着部のフレーム枠の内周縁に形成した段部に落とし込み状に嵌合して装着され、
前記背もたれ部の背面板に爪部を形成した可動ロック体が取り付けられるとともに、前記フレーム枠の内周縁に固定ロック体が取り付けられ、
前記背もたれ部が前記フレーム枠の内周縁に嵌合した状態で、前記可動ロック体の爪部が前記固定ロック体に係合させ、前記背もたれ部が前記クッション体の表面方向への移動を阻止するように構成した椅子。
【請求項２】
可動ロック体は弾性板によってＬ字状に形成され、一方側が背もたれ部の背面板に取り付けられ、起立した他方側の先端に爪部が形成され、
フレーム枠の内周縁に取り付けられた固定ロック体は、湾曲した舌片が形成され、
背もたれ装着部のフレーム枠に前記背もたれ部を装着するとき、前記可動ロック体の爪部が弾性変形して進行することにより前記固定ロック体の舌片の先端に係合させるように構成した請求項１に記載の椅子。
【請求項３】
可動ロック体は磁性金属板によって蝶板状に形成され、一方側が背もたれ部の背面板に取り付けられ、回動可能な他方側の先端に爪部が形成され、
フレーム枠の内周縁に取り付けられた固定ロック体は、先端側に舌片を形成した取付板と、この取付板の前記磁性金属板に対向する位置に固着されたマグネットによって形成され、
背もたれ装着部のフレーム枠に前記背もたれ部を装着したとき、可動ロック体の他方側を前記マグネットに吸引させるとともに、爪部を固定ロック体に係合させるように構成した請求項１に記載の椅子。
【考案の詳細な説明】
【技術分野】
【０００１】  本考案は、背もたれ部が椅子本体に着脱自在に装着された椅子に関し、詳しくは、背もたれ部を椅子本体に取付固定する椅子の背もたれ部取り付け構造に関する。
【背景技術】
【０００２】  一般に使用されている椅子として、例えば、布張りクッションを用いた椅子は、表面のカバー（布張り地）が汚れ易くかつ摩耗や破れを生じ易いため、それらのクリーニングおよびメンテナンスを可能にすることが望まれている。また、椅子のカバーを取り替えることにより気分転換を図ったり、装飾性を高めたり、ファション性を高めることが望まれている。さらには、クッションの交換で硬さを調節したり、弾力性を復元させたりして座り心地やデザインをアップグレードまたは変化させることも望まれている。【０００３】  これらの要望を実現するために、従来から、特開２００７−１１７６００号公報（特許文献１）、特開２０００−１０６９７３号公報（特許文献２）などに開示されているように、背もたれを着脱可能とした椅子が提案されている。
【先行技術文献】
【特許文献】
【０００４】
【特許文献１】特開２００７−１１７６００号公報
【特許文献２】特開２０００−１０６９７３号公報
【考案の概要】
【考案が解決しようとする課題】
【０００５】  上記特許文献１及び２に示された椅子は、背もたれを着脱可能に構成することでクリーニングおよびメンテナンスを可能にすること、或いは、装飾性やファション性を高めるといった要望に対応することは可能となった。この特許文献１及び２に示された椅子は、背もたれを装着するために、椅子本体に形成した凹部に背もたれを嵌め込み、凹部の背板に背もたれをビスにより固定している。このように構成すると、背もたれの裏面が凹部の背板によって隠蔽される。これにより、背もたれを交換することによって装飾性やファション性は高められるが、裏面は隠蔽されるため、装飾性やファション性が阻害されてしまうといった問題が生ずる。また、背もたれの裏面側も、搬送時或いは整列時に他の椅子や什器等が衝突して損傷することがあり、さらに、汚染することが多々ある。しかし、凹部の背板は交換ができないことから、椅子としての美観を失い、大きな損失を被る問題があった。【０００６】  本考案が解決しようとする課題は、背もたれの表裏を露出しながら、椅子としての美観を損なうことなく、椅子本体に容易に着脱できる背もたれ取り付け構造を備えた椅子を提供することにある。
【課題を解決するための手段】
【０００７】  そこで、本考案による椅子は、椅子本体に形成した背もたれ装着部に背もたれ部が着脱可能に取付固定され、前記背もたれ部は背面板の表面側にクッション体が設けられ、前記背面板の外周縁が前記背もたれ装着部のフレーム枠の内周縁に形成した段部に落とし込み状に嵌合して装着され、前記背もたれ部の背面板に爪部を形成した可動ロック体が取り付けられるとともに、前記フレーム枠の内周縁に固定ロック体が取り付けられ、前記背もたれ部が前記フレーム枠の内周縁に嵌合した状態で、前記可動ロック体の爪部が前記固定ロック体に係合させ、前記背もたれ部が前記クッション体の表面方向への移動を阻止するように構成することを要旨としている。【０００８】  また、可動ロック体は、弾性板によってＬ字状に形成され、一方側が背もたれ部の背面板に取り付けられ、起立した他方側の先端に爪部が形成され、フレーム枠の内周縁に取り付けられた固定ロック体は、湾曲した舌片が形成され、背もたれ装着部のフレーム枠に前記背もたれ部を装着するとき、前記可動ロック体の爪部が弾性変形して進行することにより前記固定ロック体の舌片の先端に係合させるように構成している。【０００９】  さらに、可動ロック体は磁性金属板によって蝶板状に形成され、一方側が背もたれ部の背面板に取り付けられ、回動可能な他方側の先端に爪部が形成され、フレーム枠の内周縁に取り付けられた固定ロック体は、先端側に舌片を形成した取付板と、この取付板の前記磁性金属板に対向する位置に固着されたマグネットによって形成され、背もたれ装着部のフレーム枠に前記背もたれ部を装着したとき、可動ロック体の他方側を前記マグネットに吸引させるとともに、爪部を固定ロック体に係合させるように構成している。
【考案の効果】
【００１０】  本考案による椅子の背もたれ部取り付け構造によれば、背もたれ部の背面板に爪部を形成した可動ロック体を取り付け、フレーム枠の内周縁に固定ロック体を取り付けているので、背もたれ部をフレーム枠に嵌合したときに、可動ロック体の爪部が固定ロック体に係合するので、ワンタッチで背もたれ部を固定することができる。また、可動ロック体の爪部を固定ロック体から離脱する操作で、背もたれ部をフレーム枠から容易に離脱することができ、椅子本体に対して背もたれを容易に着脱することができる。さらに、椅子本体のフレーム枠の内周縁に固定ロック体を取り付けているので、背もたれの表裏を露出させることができるので、椅子としての美観を損なうことない。【００１１】  また、弾性板によってＬ字状に形成された可動ロック体の先端に爪部を形成し、固定ロック体に湾曲した舌片を形成すると、フレーム枠に背もたれ部を装着するとき、可動ロック体の爪部が湾曲した舌片によって弾性変形して進行したのち、固定ロック体の舌片の先端に係合するので、背もたれ部をフレーム枠に嵌合する操作によりワンタッチで背もたれ部を固定することができる。【００１２】  さらに、先端に爪部を形成した可動ロック体を磁性金属板によって形成し、固定ロック体の取付板にマグネットを固着することにより、背もたれ部を装着したとき、可動ロック体の他方側がマグネットに磁気的に吸引されるので、可動ロック体の爪部を固定ロック体に確実に係合させることができる。また、可動ロック体をマグネットに磁気吸引力に抗して離脱することにより、背もたれ部をフレーム枠から容易に離脱することができる。
【図面の簡単な説明】
【００１３】
【図１】  本考案に関わる椅子を示す斜視図である。
【図２】  背もたれ部をフレーム枠に嵌合固定した状態を示す背面図である。
【図３】  背もたれ部取り付け構造の第１の実施例を示す断面図である。
【図４】  第１の実施例の可動ロック体と固定ロック体を示す斜視図である。
【図５】  （Ａ）（Ｂ）（Ｃ）は、可動ロック体を固定ロック体に係合させる工程を示す説明図である。
【図６】  （Ａ）（Ｂ）は、可動ロック体と固定ロック体との離脱工程を示す説明図である。
【図７】  （Ａ）（Ｂ）は、本考案の第２の実施例を示す断面図である。
【図８】  第２の実施例の可動ロック体と固定ロック体を示す斜視図である。
【考案を実施するための形態】
【００１４】  本考案による椅子は、椅子本体に形成した背もたれ装着部に背もたれ部が着脱可能に取付固定され、前記背もたれ部は背面板の表面側にクッション体が設けられ、前記背面板の外周縁が前記背もたれ装着部のフレーム枠の内周縁に形成した段部に落とし込み状に嵌合して装着され、前記背もたれ部の背面板に爪部を形成した可動ロック体が取り付けられるとともに、前記フレーム枠の内周縁に固定ロック体が取り付けられ、前記背もたれ部が前記フレーム枠の内周縁に嵌合した状態で、前記可動ロック体の爪部が前記固定ロック体に係合させ、前記背もたれ部が前記クッション体の表面方向への移動を阻止するように構成している。
【００１５】  以下、図面に基づいて本考案の実施例を詳細に説明する。図１に示す椅子本体１は、座席装着部２及び背もたれ装着部３と、２本の前脚部４及び２本の後脚部５とを有している。座席装着部２は前脚部４及び後脚部５によって支持され、背もたれ装着部３は後脚部５によって支持されている。座席装着部２は略四角形の枠状の枠部２ａが形成され、この枠部２ａは上下方向に貫通している。さらに、枠部２ａの内面には段差が形成され、座席部６の周囲に設けられた枠体を当接させるようにしている。一方、背もたれ装着部３には、フレーム枠３ａが形成され、フレーム枠３ａの内側は前後に透過している。さらに、フレーム枠３ａの周縁の内面には段差３ｂが形成され、背もたれ部７の枠体７ａを当接させるようにして落とし込み状に嵌合して装着されている。
【００１６】  背もたれ装着部３に装着する背もたれ部７は、枠体７ａの背面側に背面板７ｂが固着され、これにより枠体７ａの前面側に凹所が形成され、この凹所内には、クッション体８が装着されている。この背もたれ部７には、クッション体８及び背面板７ｂを被覆するように布９が張られている。この背もたれ部７を背もたれ装着部３のフレーム枠３ａに装着したとき、フレーム枠３ａの裏面側からもクッション体８の布９が露出され、目視できるようにしている。
【００１７】  背もたれ部７は、図２に示すように、背面板７ｂに取り付けられた可動ロック体と、フレーム枠３ａに取り付けられた固定ロック体からなる固定機構により３個所で固定されている。枠体７ａ又は背面板７ｂに取り付けられる可動ロック体１０は、図４に示すように、金属板または合成樹脂からなる弾性板によってＬ字状に形成され、起立した他方側の先端には上側に屈曲形成した爪部１０ａが形成されている。爪部１０ａの中央部には、切り欠き１０ｂが形成されている。一方、固定ロック体１１は、下方に緩やかに湾曲させた舌片１１ａが形成されている。舌片１１ａの中央部には平坦部１１ｂが形成されている。そして、可動ロック体１０は、図３に示すように、背もたれ部７の背面板７ｂにビス１２によって取り付けられる。さらに、固定ロック体１１は、フレーム枠３ａの内周縁にビス１２によって取り付けられている。図３は、背もたれ装着部３のフレーム枠３ａに背もたれ部７が装着された状態を示し、可動ロック体１０の爪部１０ａが、固定ロック体１１の舌片１１ａの先端に係合している。
【００１８】  次に、図５によって、背もたれ部７を背もたれ装着部３のフレーム枠３ａに装着する工程を説明する。まず、図５（Ａ）は装着前の状態であり、背もたれ部７とフレーム枠３ａとは離間している。その後、背もたれ部７をフレーム枠３ａに嵌合すると、図５（Ｂ）に示すように、可動ロック体１０の爪部１０ａが、固定ロック体１１の湾曲させた舌片１１ａによって下方に押し下げられながら図示右方に進行する。そして、可動ロック体１０の爪部１０ａが固定ロック体１１の舌片１１ａの先端に到達すると、可動ロック体１０の爪部１０ａの弾性変形が解除され、固定ロック体１１の舌片１１ａの先端に落とし込まれるように係合してロック状態となる。この結果、背もたれ部７が背もたれ装着部３のフレーム枠３ａに不動の状態で装着される。
【００１９】  一方、背もたれ部７を背もたれ装着部３に装着した状態から解除するには、図６に示すような手段によって容易に解除することができる。前述したように、固定ロック体１１の湾曲させた舌片１１ａの中央部には平坦部１１ｂが形成され、さらに、可動ロック体１０の爪部１０ａの中央部には切り欠き１０ｂが形成されている。図６（Ａ）に示すように、これら平坦部１１ｂと切り欠き１０ｂの間に、例えばマイナスドライバー１３の先端を挿入する。そして、マイナスドライバー１３を図６（Ｂ）に示す矢示の方向に下げると、弾性板によって形成された可動ロック体１０の爪部１０ａが、弾性に抗して下方に押圧されて、固定ロック体１１の舌片１１ａから可動ロック体１０の爪部１０ａとの係合が外れてロックが解除される。その後、背もたれ部７を図示左方に移動させることにより、背もたれ装着部３から離脱することができる。このように、固定ロック体１１の舌片１１ａと、可動ロック体１０の爪部１０ａと係合させ、或いは解除することにより、容易に着脱することができる。
【００２０】  図７、図８は、本考案による椅子の背もたれ部取り付け構造の第２の実施例を示している。なお、前述した実施例と同符号は同部品を示し、その詳細な説明は省略する。第２の実施例における可動ロック体２０は、磁性金属板によって蝶板状に形成され、一方の固定片２０ａの下端には、側面から見て略半円状の突堤部２０ｂが形成されている。他方の可動片２０ｃは、平板状に形成され、一端近傍には、突堤部２０ｂに回転自在に嵌合するスリット２０ｄが形成され、他端には屈曲形成した爪部２０ｅが形成されている。そして、一方の固定片２０ａは、背もたれ部７の背面板７ｂにビス１２によって取り付けられる。ここで、固定片２０ａの下端に形成した突堤部２０ｂは略半円状としているが、背面板７ｂに取り付けた状態では、図７に示すように、突堤部２０ｂの開口側が背面板７ｂによって閉口するので、可動片２０ｃは固定片２０ａから離脱することがない。
【００２１】  また、固定ロック体２１は、先端側に舌片２１ｂが形成され、下面側にマグネット２２が固着されている。マグネット２２は磁性金属板によって形成された他方の可動片２０ｃに対向する位置に固着されている。そして、固定ロック体２１は、フレーム枠３ａの内周縁にビス１２によって取り付けられている。
【００２２】  次に、上述した第２の実施例による背もたれ部７の装着工程を説明する。図７（Ｂ）は背もたれ部７をフレーム枠３ａに落とし込むように嵌合した状態である。このとき、可動ロック体２０の可動片２０ｃは、突堤部２０ｂから垂れ下がった状態となっている。その後、可動片２０ｃを回動して持ち上げると、図７（Ａ）に示すように、可動片２０ｃがマグネット２２に磁気的に吸着する。このとき、可動片２０ｃの爪部２０ｅが固定ロック体２１に形成した舌片２１ｂに係合してロック状態となる。この結果、背もたれ部７が背もたれ装着部３のフレーム枠３ａに不動の状態で装着される。
【００２３】  一方、背もたれ部７を背もたれ装着部３に装着した状態から解除するには、マグネット２２に磁気的に吸着している可動ロック体２０の可動片２０ｃをマグネット２２から引き離すことにより、可動片２０ｃの爪部２０ｅが取付板２１ａの舌片２１ｂから離脱してロック状態から解除される。この結果、背もたれ部７を背もたれ装着部３から容易に解除することができる。
【００２４】  以上、本発明を実施例に基づき具体的に説明したが、本発明は上記実施例に限定されるものではなく、その要旨を逸脱しない範囲で種々変形可能であることは言うまでもない。前述した実施例において、背もたれ部は、四角形や楕円形或いは多角形にしても良い。また、背もたれ部のみを着脱可能な椅子にも適用可能である。
【符号の説明】
【００２５】１      椅子本体
３      背もたれ装着部
３ａ    フレーム枠
７      背もたれ部
７ａ    枠体
７ｂ    背面板
８      クッション体
１０    可動ロック体
１０ａ  爪部
１１    固定ロック体
１１ａ  舌片
２０    可動ロック体
２０ａ  固定片
２０ｃ  可動片
２１    固定ロック体
２１ｂ  舌片
２２    マグネット
【図１】
0003204019.tif 000003
【図２】
0003204019.tif 000004
【図３】
0003204019.tif 000005
【図４】
0003204019.tif 000006
【図５】
0003204019.tif 000007
【図６】
0003204019.tif 000008
【図７】
0003204019.tif 000009
【図８】
0003204019.tif 000010